(57)【要約】      （修正有）【課題】液体および圧縮空気の流れを統合管理するためのピストル型ノズルを提供すること。【解決手段】主モデルは、把持部１．２と、トリガ１．３と、圧縮空気用ボタン１．４とを備える金属製のピストル型ノズルとして実施したモノブロック本体１．１を備える。モノブロック本体は、把持部からトリガにより作動するシャッター装置または弁１．７を有するハウジング１．６に延びるチャネル通路１．５を有する。把持部の下端部内のチャネル１．１１は、加圧した液体および圧縮空気がそれぞれ流れるホースに接続しているネジ山付き接続部１．１６および１．１７まで延びる。弁は、使用するシャッター、弁内の球体１．７Ａおよび弁内のディスク１．１３Ａ以外は、同一の基本機能を提供する。【選択図】図１
2008149446.tif 000002
【特許請求の範囲】
【請求項１】
液体および圧縮空気の流れを統合管理するためのピストル型ノズルであって、
把持部（１．２）と、トリガ（１．３）と、圧縮空気用ボタン（１．４）とを備え、ピストル型形状としたモノブロック本体（１．１）を備え、
前記モノブロック本体（１．１）は、前記把持部（１．２）からトリガ（１．３）により作動するシャッター装置または弁（１．７）が組み込まれたハウジング（１．６）まで延びるチャネル通路（１．５）を有し、
前記チャネル通路（１．５）の前記弁（１．７）の先端側は、モノブロック本体（１．１）の前端部（１．１０）に設けられたスプリンクラー（１．９）に通ずる通路（１．８）に連絡しており、
前記モノブロック本体（１．１）は、さらに、前記把持部（１．２）内を横切り、前記圧縮空気用ボタン（１．４）により作動するシャッター装置または弁（１．１３）が組み込まれたハウジング（１．１２）まで延びるチャネル通路（１．１１）を有し、
前記弁（１．１３）の先端側は、前記スプリンクラー（１．９）の上部に設けられた管状延長部（１．１５）に通ずるチャネル通路（１．１４）が位置し、
前記把持部（１．２）の下端部のチャネル（１．５）と、チャネル（１．１１）は、加圧した液体および圧縮した空気がそれぞれ流れるホース（１．１８、１．１９）が接続されたネジ山付き接続部（１．１６、１．１７）まで延び、
弁（１．７）と弁（１．１３）は、それぞれ使用するシャッターと弁（１．７）内の球体（１．７Ａ）および弁（１．１３）内のディスク（１．１３Ａ）以外は、同一の基本機能を有することを特徴とするピストル型ノズル。
【請求項２】
前記弁（１．７）において、接触部（１．２０）は、前記トリガ（１．３）により作動するシャフト（１．２４）が挿通される軸方向チャネル（１．２３）を有する弁（１．２２）の一部を形成し、
前記弁（１．１３）において、接触部（１．２５）は、前記ディスクがスプリング機能（１．２１）により付勢される面として形成され、前記圧縮空気用ボタン（１．４）が押されると前記ディスク（１．１３Ａ）は作動し、
軸方向チャネル（１．２３）は、弁本体（１．１３）を囲むリング状の凹部（１．２６）に通ずる小さい半径方向のチャネルを有すること
を特徴とする請求項１に記載の液体および圧縮空気の流れを統合管理するためのピストル型ノズル。
【請求項３】
前記スプリンクラー（１．９）は、液体の流れのパターンを調整することができる構造を有し、前記スプリンクラーは、位置決め調整加工部品（１．９Ｂ）により位置決めされるピン（１．９Ｄ）により一部が閉塞される円錐形開口部（１．９Ｃ）を有する調整加工部品（１．９Ｂ）を外部に収容する本体（１．９Ａ）を備えること
を特徴とする請求項１に記載の液体および圧縮空気の流れを統合管理するためのピストル型ノズル。
【請求項４】
前記モノブロック本体（２．１）は、その前部にあるアングル付把持部部分（２．２）と、スプリンクラー（２．５）と管状延長部（２．６）を端部に有する突起（２．４）を備えた一体化ブロック（２．３）を有することを特徴とし、
一体化ブロック（２．３）は、圧縮空気の流れを制御するもう１つの弁またはシャッター（２．８）の隣に設けられた液体の流れを制御する弁またはシャッター（２．７）を収容し、
前記弁またはシャッター（２．７）は、アングル付把持部（２．２）を貫通するチャネル通路（２．１０）と、第２のチャネル通路（２．１１）の端部にある前記スプリンクラー（２．５）を有する突起（２．４）を貫通する前記第２のチャネル通路（２．１１）との間の中間の領域に配置されるハウジング（２．７Ａ）内であって一体化ブロック（２．３）内の中央領域（２．９）に設けられ、
前記もう１つの弁またはシャッター（２．８）は、前記ハウジング（２．７Ａ）の弁又はシャッター（２．７）と同様に、アングル付把持部（２．２）を貫通するチャネル通路（２．１２）と、第２のチャネル通路（２．１３）の端部にある前記管状延長部（２．６）を有する突起（２．４）を貫通する前記第２のチャネル通路（２．１３）との間の中間の領域に配置されるハウジング（２．８Ａ）内であって一体化ブロック（２．３）内の中央領域（２．９）に設けられ、
前記両チャネル通路（２．１０、２．１１）は、前記アングル付把持部（２．２）に沿って相互に平行に並んで延びるとともに、前記両チャネル通路（２．１２、２．１３）も、突起（２．４）に沿って相互に平行に並んで延び、
前記弁またはシャッター（２．７）は、前記もう１つの弁またはシャッター（２．８）とは独立に設けられた圧縮用ボタン（２．１４）により作動し、
前記チャネル通路（２．１０、２．１２）の端部にネジ山付き接続部（２．１５、２．１６）が接続可能であり、前記ネジ山付き接続部（２．１５、２．１６）はピストル型ノズルに液体および圧縮空気を別々に供給するホースが接続されること
を特徴とする請求項１に記載の液体および圧縮空気の流れを統合管理するためのピストル型ノズル。
【発明の詳細な説明】
【技術分野】
【０００１】
本発明は、特に工作機械一般ならびにフライス盤、旋盤、およびマシニング・センターと一緒に使用するために特に開発したピストル型ノズルに関するもので、液体および圧縮空気の流れを（同時にまたは別々に）統合管理することができるようにするために必要な手段を１つの手動装置内に統合することを目的とする。
【背景技術】
【０００２】
よく知られていることであるが、フライス盤、旋盤およびその他の工作機械、またはマシニング・センターであっても、所望の加工部品を得るために材料の小さな部分を制御された方法で除去するために原料ブロック（通常は金属である）を加工するので、屑として大量の砕片が発生する。
【０００３】
工作機械（および類似の装置）は、切断、粗削り等の手段に適している温度に維持することができるか否かに大きく依存し、このような条件は、材料が効率的に加工されている領域に向けて一定の冷却液体の流れが得られる場合に限られる。
【０００４】
加工部品を仕上げる場合には、たいてい、機械のオペレータは、機械加工動作を終了した後で、特にその上に集積している砕片を除去するために、ホースを接続し、加圧した液体（通常は冷却液体である）が噴出する装置を使用する必要がある。
【０００５】
上記装置に類似するものとして、工作機械から取り出す前に加工部品の最初の乾燥を行うために、圧縮空気を噴出する。
【０００６】
通常のラインにおいては、加圧した液体の流れおよび圧縮空気の流れの両方を供給する装置は、独立していて、それぞれ直接各ホースに接続される。
【発明の開示】
【発明が解決しようとする課題】
【０００７】
そのため、機械のオペレータは、一方または他方の装置を交互に操作しなければならなくなり、そのため生産性が低下する。
【課題を解決するための手段】
【０００８】
このような技術的現状のために、本明細書に記載する加圧した液体および圧縮空気の流れを統合管理するためのピストル型ノズルが開発された。これはピストル型ノズルの形で実施した１つの解剖装置（ａｎａｔｏｍｉｃ  ｄｅｖｉｃｅ）であり、新しく製造する加工部品の清掃を促進するために使用する液体の流れを管理するために必要な手段と、加工部品を乾燥するために使用される圧縮空気の流れを供給するために必要な手段とを統合することができる、
【０００９】
本明細書に記載するピストル型ノズルの主モデルは、液体を供給するためのホースと空気を供給するためのホースからなる１対のホースに直接接続される。本明細書に記載するピストル型ノズルは、これら２つの機能のために別々のコマンドを提供しているので、そのオペレータは、液体供給機能および圧縮空気の流れ供給機能を全く独立して選択することができる。本発明は、また、加圧した液体および圧縮空気の流れを統合管理するためのピストル型ノズルの主モデルの他に、その構造に従って様々な変形例を提供している。しかし、このような様々な構造も本発明の主題に関連するものであり、主モデルから由来するものである。
【００１０】
関連図面を参照しながら、加圧した液体および圧縮空気の流れを統合管理するためのピストル型ノズルの主モデルおよび種々の構造について以下に説明する。
【発明を実施するための最良の形態】
【００１１】
図１、図２、図３、図４および図５は、加圧した液体および圧縮空気の流れを統合管理するためのピストル型ノズルの主モデルを種々の角度から見たものである。特に、本発明は、把持部１．２と、トリガ１．３と、圧縮空気用ボタン１．４とを備え、金属からできていることが好ましい、ピストル型ノズルとして実施したモノブロック本体１．１を備える。
【００１２】
モノブロック本体１．１は、把持部１．２からトリガ１．３により作動するシャッター装置または弁１．７が組み込まれたハウジング１．６まで延びるチャネル通路１．５を有する。弁１．７の先端側は、チャネル１．５は、モノブロック本体１．１の前端部１．１０に設けられたスプリンクラー１．９に通ずる通路１．８に連絡している。
【００１３】
このモノブロック本体１．１は、さらに、把持部１．２内を横切り、圧縮空気用ボタン１．４により作動するシャッター装置または弁１．１３が組み込まれたハウジング１．１２まで延びるチャネル通路１．１１を有する。
【００１４】
弁１．１３の先端側には、スプリンクラー１．９の上部に設けられた管状延長部１．１５に通ずるチャネル通路１．１４が位置する。
【００１５】
把持部１．２の下端部のチャネル１．５およびチャネル１．１１は、加圧した液体および圧縮空気がそれぞれ流れるホース１．１８およびホース１．１９に接続されているネジ山付き接続部１．１６およびネジ山付き接続部１．１７まで延びている。
【００１６】
図２に拡大して示すように、弁１．７および弁１．１３は、使用したシャッター（弁１．７内の球体１．２１および弁１．１３内のディスク１．１３Ａ）以外は、同一の基本機能を提供する。
【００１７】
弁１．７および弁１．１３間の基本的な違いは、また、弁１．７は加圧した液体の流れにより動作し、一方、弁１．１３は圧縮空気により動作することである。
【００１８】
要するに、弁１．７および弁１．１３は、各スプリング１．２１の動作によりそれぞれの各ローカル（接触部）１．２０に対して付勢されているシャッター部材（１．７Ａおよび１．１３Ａ）に依存する。弁１．７においては、接触部１．２０は、トリガ１．３により作動するシャフト１．２４が挿通される軸方向チャネル１．２３を有する弁１．２２の一部である。
【００１９】
弁１．１３においては、接触部１．２５は、スプリング機能１．２１により付勢される面（surface）として形成され、ディスク１．１３Ａが、圧縮空気用ボタン１．４を押下した場合に動作する上記ディスクである。軸方向チャネル１．２３は、弁本体１．２３を囲むリング状の凹部１．２６に通ずる小さい半径方向のチャネルを有している。
【００２０】
弁１．１３の動作原理（弁１．７の動作原理と同じである）は、圧縮された場合、そのシャッター部材が、その接触部から離れ、そのため流れ（この場合は、圧縮空気である）が、チャネル１．１１からチャネル１．１４に達し、本明細書においては管状延長部１．１５で表すピストル型ノズルの出口に効率的に向かうというものである。
【００２１】
基本的な原理は、すでに説明したように、加圧した液体で動作する弁１．７によっても確認される。
【００２２】
図１、図２、図３、図４および図５においては、参照符号Ｆ１およびＦ２は、それぞれ、ピストル型ノズル本体を貫通する（cross）液体の流れおよび圧縮空気の流れを示す。
【００２３】
図３で特に詳細に示すスプリンクラー１．９は、液体の流れのパターンを調整することができる構造体である。このスプリンクラーは、位置決め調整加工部品１．９Ｂにより位置決めされるピン１．９Ｄにより一部が閉塞される円錐形開口部１．９Ｃを有する調整加工部品１．９Ｂを外側に収容する（receive）本体１．９Ａを備える。
【００２４】
図６、図７、図８、図９、図１０、図１１および図１２は、ピストル型ノズルの種々の構造を示しているが、本発明は、ピストル型ノズルに類似した形になるように実施したモノブロック本体２．１を備えることである。この場合、この本体２．１は金属製であることが好ましい。
【００２５】
モノブロック本体２．１は、その前部にスプリンクラー２．５と管状延長部２．６とを端部に有する突起２．４を備えた一体化ブロック２．３と、アングル付把持部部分２．２とを備える。
【００２６】
一体化ブロック２．３は、液体の流れを制御し、もう１つの弁またはシャッター２．８の隣に設けれた弁またはシャッター２．７を収容する。もう１つの弁またはシャッターは、圧縮空気の流れを制御するためのものである。
【００２７】
弁またはシャッター２．７は、アングル付把持部２．２を貫通する（cross）チャネルの通路２．１０と、突起２．４を貫通する（cross）第２のチャネル通路２．１１との間の中間の領域に配置されるハウジング２．７Ａ内であって一体化ブロック２．３内の中央領域２．９に設けられ、上記チャネル通路２．１１の端部には、上記スプリンクラー２．５が位置する。
【００２８】
参照符号２．８で示すもう１つの弁またはシャッターは、ハウジング２．７Ａの弁およびシャッター２．７の場合と同様に、アングル付把持部２．２を貫通する（cross）対応するチャネル通路２．１２、および突起２．４を貫通する（cross）第２のチャネル通路２．１３との間の中間の領域内に位置するハウジング２．８Ａ内の同一の一体化ブロック２．３の中央領域２．９に設けられ、上記チャネル通路２．１３の端部には、上記管状延長部２．６が位置する。
【００２９】
チャネル通路２．１０およびチャネル通路２．１１は、アングル付把持部２．２に沿って相互に平行に並んでおり、一方、チャネル通路２．１１およびチャネル２．１３も、突起２．４に沿って相互に平行に並んでいる。
【００３０】
本明細書に記載する修正実施形態で用いられる弁またはシャッター２．７は、すでに詳細に説明したピストル型ノズルの主モデルで用いられた弁と類似のものであって、ピストル型ノズルの主モデルとは異なるものであることが好ましく、修正構造体の弁およびシャッター２．７は、トリガにより作動しないが、圧縮用ボタン２．１４、上述のピストル型ノズルの主モデルで用いられたものに類似するものであることが好ましい。この弁またはシャッター２．７は、もう一つの弁またはシャッター２．８とは独立に設けられた類似の圧縮用ボタン２．１４により作動する。
【００３１】
上記ピストル型ノズルの主モデルのように、その修正構造体においても、アングル付把持部２．２と結合していて、ピストル型ノズルに液体および圧縮空気の別々の流れを供給するホース接続（図示せず）を可能にするネジ山付き接続部２．１５および２．１６を配置することができる。
【００３２】
このピストル型ノズルの動作システムは、すでに説明したピストル型ノズルの主モデルと全く同じものであるので、これ以上の説明は省略する。
【００３３】
ピストル型ノズルの主モデルの修正構造体を使用すると、工作機械（tool）をより広い範囲で使用することができる。その理由は、液体の流れおよび圧縮空気の流れを管理するためのコマンドが並べて配置され、オペレータは親指を使用して作動させることができるからである。
【００３４】
上記ピストル型ノズルの上記修正構造体も、その内部チャネルの構造をより簡単にするため、関連製造コストを大きく低減する。
【００３５】
上記修正ピストル型ノズルのモデルを、図１２に示すように具体化したバージョンを示す。この図面は、本発明の装置によりすでに全体が完成した実施形態を示している。
【図面の簡単な説明】
【００３６】
【図１】その内部実施形態をよりよく理解することができる概略部分断面の領域を示す本明細書に記載するピストル型ノズルの主モデルの側面図である。
【図２】図１のピストル型ノズルの一部である２つのシャッター弁の領域の拡大部分断面の略図である。
【図３】図１のピストル型ノズルの前領域の拡大部分断面図である。
【図４】図１のピストル型ノズルの把持部の領域の拡大部分断面図である。
【図５】そのトリガの作動条件の例を示す図１のピストル型ノズルの全体図である。
【図６】上記主ピストル型ノズルの別の構造の斜視図である。
【図７】図６のピストル型ノズルの側面図である。
【図８】切断線Ａ−Ａで示すような図７からの断面図である。
【図９】図６からの矢印Ａで示すような上記ピストル型ノズルの前面図である。
【図１０】切断線Ｂ−Ｂで示すような図９からの断面図である。
【図１１】切断線Ｃ−Ｃで示すような図９からのもう１つの断面図である。
【図１２】最終的な形の、また本発明の装置から製造した図６のピストル型ノズルからの一部修正実施形態の斜視図である。
【符号の説明】
【００３７】
１．１  モノブロック本体
１．２  把持部
１．３  トリガ
１．４  圧縮空気用ボタン
１．５  チャネル通路
１．６  ハウジング
１．７  弁
１．８  通路
１．９  スプリンクラー
１．１０  前縁部
１．１１  チャネル通路
１．１２  ハウジング
１．１３  弁
１．１４  チャネル通路
１．１５  管状延長部
１．１６および１．１７  ネジ山付き接続部
１．１８および１．１９  ホース
１．２０  ローカル（接触部）
１．２１  スプリング
１．２２  弁
１．２３  軸方向チャネル
１．２４  シャフト
１．２５  ローカル（接触部）
１．２６  リング状の凹部
１．１３Ａ  ディスク
１．７Ａ  球体
【図１】
2008149446.tif 000003
【図２】
2008149446.tif 000004
【図３】
2008149446.tif 000005
【図４】
2008149446.tif 000006
【図５】
2008149446.tif 000007
【図６】
2008149446.tif 000008
【図７】
2008149446.tif 000009
【図８】
2008149446.tif 000010
【図９】
2008149446.tif 000011
【図１０】
2008149446.tif 000012
【図１１】
2008149446.tif 000013
【図１２】
2008149446.tif 000014
【外国語明細書】
2008149446.tif 000015
2008149446.tif 000016
2008149446.tif 000017
2008149446.tif 000018
2008149446.tif 000019
2008149446.tif 000020
2008149446.tif 000021
2008149446.tif 000022
2008149446.tif 000023
2008149446.tif 000024
2008149446.tif 000025
2008149446.tif 000026
2008149446.tif 000027
2008149446.tif 000028
2008149446.tif 000029
2008149446.tif 000030
2008149446.tif 000031
2008149446.tif 000032
2008149446.tif 000033
2008149446.tif 000034
2008149446.tif 000035
2008149446.tif 000036